(57)【要約】【課題】ハーネスゴトの防止を十分に図れるようになる通信装置の提供。【解決手段】プラグ31及びレセプタクル32は、互いに嵌合しあうと、その一方を破壊しないと、嵌合が解除できないように形成され、しかも、光通信ケーブル12の端部に設けられたフェルール33が抜けると、プラグ31内部のシャッタ31Eがフェルール挿通孔31Bを閉じるようになっており、さらに、プラグ31をレセプタクル32に嵌合すると、プラグ31全体がレセプタクル32の内部に完全に埋没する。これにより、レセプタクル32に嵌合したプラグ31をレセプタクル32から取り外す際に、光通信ケーブル12あるいはフェルール33の後端部33Eが引っ張られると、フェルール33がプラグ31から抜け、プラグ31の再使用が不可能となる。以上により、いわゆる、二個一とよばれる不正行為も防止できるようになる。【選択図】図６
2013215558.tif 000002
【特許請求の範囲】
【請求項１】
遊技の進行に係る装置の動作を主に制御する主制御基板と、遊技の進行に直接関与しな
い装置の動作を主に制御する副制御基板とを相互に接続する光通信ケーブルを介して前記
主制御基板と前記副制御基板との間の通信を行う通信装置であって、
前記光通信ケーブルの一端及び前記主制御基板の間には、これらを相互に接続するため
に、互いに嵌合しあうプラグ及びレセプタクルを備えたメイン側コネクタが設けられ、
前記光通信ケーブルの他端及び前記副制御基板の間には、これらを相互に接続するため
に、互いに嵌合しあうプラグ及びレセプタクルを備えたサブ側コネクタが設けられ、
前記メイン側コネクタ及び前記サブ側コネクタのそれぞれは、前記プラグを前記レセプ
タクルに嵌合すると、前記プラグ及び前記レセプタクルの少なくとも一方を破壊しないと
、両者の嵌合が解除できないように形成され、
前記光通信ケーブルの両端には、当該光通信ケーブルの端部と前記プラグとの中心位置
を合わせる筒状のフェルールがそれぞれ被嵌され、
前記プラグは、内部に前記フェルールが挿通されるとともに、前記フェルールの挿通方
向に沿って当該プラグを貫通するフェルール挿通孔を備えたものであり、
前記メイン側コネクタ及び前記サブ側コネクタの少なくとも一方に設置されたプラグは
、前記フェルール挿通孔の途中位置に配置されるとともに、当該フェルール挿通孔を開放
する開放位置及び当該フェルール挿通孔を閉鎖する閉鎖位置の二位置間を移動可能に形成
されたシャッタと、このシャッタを閉鎖位置に向かって付勢する弾性体とが内部に設けら
れたシャッタ付プラグとされ、
前記シャッタ付プラグは、前記シャッタが開放位置に配置された状態で、前記フェルー
ルが前記フェルール挿通孔に挿通されたものであり、且つ、前記フェルールが前記フェル
ール挿通孔から抜き出されると、前記シャッタが前記弾性体の付勢によって閉鎖位置へ移
動して開放位置へ戻らないように形成されていることを特徴とする通信装置。
【発明の詳細な説明】
【技術分野】
【０００１】
本発明は、遊技の進行に係る装置の動作を主に制御する主制御基板と、遊技の進行に直
接関与しない装置の動作を主に制御する副制御基板とを相互に接続する光通信ケーブルを
介して前記主制御基板と前記副制御基板との間の通信を行う通信装置に関する。
【背景技術】
【０００２】
従来から、スロットマシン等の遊技機は、遊技者が遊技を進行させていくと、その遊技
状況に応じて様々な演出を実行するように形成されている。このような遊技機には、一般
的に、遊技の進行に係る遊技装置と、この遊技装置の動作を主に制御する主制御基板と、
遊技の演出に係る演出装置と、この演出装置の動作を主に制御する副制御基板とが設けら
れている。
【０００３】
ここで、副制御基板は、主制御基板からの指令を受け、受けた指令に基づいて演出装置
を制御することで、遊技状況に応じた演出装置の制御が行えるようになっている。このた
め、遊技機には、主制御基板から副制御基板へデジタルの指令信号を伝送しており、指令
信号を伝送するにあたり、遊技機でも、通信装置として、デジタル信号を直列に伝送する
シリアル伝送方式が利用されている。
【０００４】
さらに、シリアル伝送方式の通信装置として、電気／光変換器を備えているとともに、
通信ケーブルとして、光の信号を伝送する光通信ケーブルを利用し、さらに、光通信ケー
ブルの接続が容易に行えるように、光通信ケーブルとの接続をコネクタで行う光学式の通
信装置が知られている（例えば、特許文献１参照）。このような光学式の通信装置を採用
すれば、光通信ケーブルが電磁誘導による影響をまったく受けないので、モーター、スイ
ッチ及びトランス等の電磁的な雑音を発生する装置が近傍に存在しても、電磁的な雑音に
よる誤動作を未然に防止することができる。
【先行技術文献】
【特許文献】
【０００５】
【特許文献１】特開２００９−１５３７９８号公報
【発明の概要】
【発明が解決しようとする課題】
【０００６】
前述のような通信装置では、正規な光通信ケーブルを取り外し、その代わりに、途中部
分に不正な信号を発する装置が接続された不正な光通信ケーブルを取り付け、これにより
、遊技機を誤動作させるという不正行為、いわゆる、ハーネスゴトが行われるおそれがあ
るが、光通信ケーブルをコネクタ接続としたため、光通信ケーブルの基板への着脱が比較
的容易に行えるので、ハーネスゴトの防止を十分に図ることができない、という問題があ
る。
【０００７】
そこで、各請求項にそれぞれ記載された各発明は、上記した従来の技術の有する問題点
に鑑みてなされたものであり、その目的とするところは、ハーネスゴトの防止を十分に図
れるようになる通信装置を提供することである。
【課題を解決するための手段】
【０００８】
各請求項にそれぞれ記載された各発明は、前述の目的を達成するためになされたもので
ある。以下に、各発明の特徴点を、図面に示した発明の実施の形態を用いて説明する。な
お、符号は、発明の実施の形態において用いた符号を示し、本発明の技術的範囲を限定す
るものではない。
【０００９】
（請求項１）
（特徴点）
請求項１記載の発明は、次の点を特徴とする。
すなわち、遊技の進行に係る装置の動作を主に制御する主制御基板(2A)と、遊技の進行
に直接関与しない装置の動作を主に制御する副制御基板(2B)とを相互に接続する光通信ケ
ーブル(12)を介して前記主制御基板(2A)と前記副制御基板(2D)との間の通信を行う通信装
置であって、前記光通信ケーブル(12)の一端(12A)及び前記主制御基板(2A)の間には、こ
れらを相互に接続するために、互いに嵌合しあうプラグ及びレセプタクルを備えたメイン
側コネクタが設けられ、前記光通信ケーブル(12)の他端(12B)及び前記副制御基板(2D)の
間には、これらを相互に接続するために、互いに嵌合しあうプラグ(31)及びレセプタクル
(32)を備えたサブ側コネクタ(30)が設けられ、前記メイン側コネクタ及び前記サブ側コネ
クタ(30)のそれぞれは、前記プラグを前記レセプタクルに嵌合すると、前記プラグ及び前
記レセプタクルの少なくとも一方を破壊しないと、両者の嵌合が解除できないように形成
され、前記光通信ケーブル(12)の両端には、当該光通信ケーブル(12)の端部と前記プラグ
との中心位置を合わせる筒状のフェルール(33)がそれぞれ被嵌され、前記プラグ(31)は、
内部に前記フェルール(33)が挿通されるとともに、前記フェルール(33)の挿通方向に沿っ
て当該プラグ(31)を貫通するフェルール挿通孔(31B)を備えたものであり、前記メイン側
コネクタ及び前記サブ側コネクタ(30)の少なくとも一方に設置されたプラグ(31)は、前記
フェルール挿通孔(31B)の途中位置に配置されるとともに、当該フェルール挿通孔(31B)を
開放する開放位置及び当該フェルール挿通孔(31B)を閉鎖する閉鎖位置の二位置間を移動
可能に形成されたシャッタ(31E)と、このシャッタ(31E)を閉鎖位置に向かって付勢する弾
性体(31J)とが内部に設けられたシャッタ付プラグとされ、前記シャッタ付プラグ(31)は
、前記シャッタ(31E)が開放位置に配置された状態で、前記フェルール(33)が前記フェル
ール挿通孔(31B)に挿通されたものであり、且つ、前記フェルール(33)が前記フェルール
挿通孔(31B)から抜き出されると、前記シャッタ(31E)が前記弾性体(31J)の付勢によって
閉鎖位置へ移動して開放位置へ戻らないように形成されていることを特徴とするものであ
る。
【発明の効果】
【００１０】
（請求項１の効果）
以上のように構成されている本発明は、以下に記載されるような効果を奏する。
すなわち、請求項１記載の発明によれば、光通信ケーブルの一端及び主制御基板、並び
に、光通信ケーブルの他端及び副制御基板のそれぞれを相互に接続するコネクタとして、
互いに嵌合しあうとともに、その一方を破壊しないと、嵌合が解除できないプラグ及びレ
セプタクルを備えたものを採用したので、主制御基板又は副制御基板から光通信ケーブル
を外すには、プラグ及びレセプタクルの一方を破壊する必要がある。ここで、基板に設け
られているレセプタクルを破壊することで、プラグを無傷で獲得し、さらに、途中部分に
不正な信号を発する装置が接続された不正な光通信ケーブルの端部に、無傷で獲得したプ
ラグを接続しても、基板側のレセプタクルが破壊されているので、不正な光通信ケーブル
を基板に接続することはできず、これにより、いわゆるハーネスゴトと呼ばれる不正行為
が防止されるようになる。
【００１１】
また、メイン側コネクタ及びサブ側コネクタの少なくとも一方に設置されたプラグは、
光通信ケーブルの端部に設けられたフェルールが抜けると、シャッタがフェルール挿通孔
を閉じてしまうように形成されているので、フェルールをプラグから抜いてしまうと、シ
ャッタがフェルール挿通孔を塞ぎ、これにより、フェルールをプラグ側のフェルール挿通
孔にセットできなくなるうえ、光がフェルール挿通孔を通ることもできなくなり、この結
果、プラグの再使用が不可能となる。ここで、プラグ全体がレセプタクルの内部に完全に
埋没するようにすれば、レセプタクルからプラグを取り外す際に、プラグを取り外そうと
する者は、必ず、光通信ケーブルを引っ張るようになり、これにより、フェルールがプラ
グから抜け、プラグの再使用が不可能となる。従って、不正行為者が、一の遊技機の光通
信ケーブルに設けられたプラグを破壊して、その基板及び当該基板に設けられたレセプタ
クルを無傷で獲得し、他の遊技機の基板に設けられたレセプタクルを破壊して、当該他の
遊技機の光通信ケーブルに設けられたプラグを無傷で獲得しようとしても、レセプタクル
からプラグを外す際に、必ず、光通信ケーブルを引っ張り、これにより、フェルールがプ
ラグから抜け、プラグの再使用が不可能となるので、いわゆる、二個一とよばれる不正行
為も防止することができ、以上により、前記目的が達成される。
【図面の簡単な説明】
【００１２】
【図１】本発明の一実施形態に係るスロットマシンを示す正面図である。
【図２】前記実施形態に係る筐体内部を示す正面図である。
【図３】前記実施形態に係るコネクタを示す一部破断した斜視図である。
【図４】前記実施形態に係るプラグを示す断面図である。
【図５】前記実施形態に係るコネクタを示す分解斜視図である。
【図６】前記実施形態に係るコネクタの使用方法を説明する断面図である。
【図７】前記実施形態に係るプラグに設けられたシャッタの変形例を示す平断面図である。
【図８】演出表示に異常が発生した場合に異常箇所の検査を行うための装置構成を示すブロック図である。
【図９】前記実施形態に係るプラグの変形例を示す正面図である。
【図１０】本発明の一実施形態に係るスロットマシンを示す斜視図である。
【図１１】図１０における矢印XI‐XI部分の断面図である。
【発明を実施するための形態】
【００１３】
以下に、本発明を実施するための形態である一実施形態について、図面を参照しながら
説明する。
（スロットマシン１の概略構成）
本実施形態に係る遊技機としてのスロットマシン１は、図１に示すように、三個の回転
リール11の各々に記された複数種類の図柄が所定の組み合わせとなるように、回転してい
る回転リール11を停止させる遊技を行うものである。また、スロットマシン１は、遊技媒
体として金属製のメダルを採用したものであり、メダルの投入によって遊技を開始するよ
うに形成されている。このようなスロットマシン１には、図１の如く、当該スロットマシ
ン１の各種装置を収納するとともに、正面形状が長方形となった筐体２が備えられている
。筐体２は、前面全体が開口された箱状の部材である。そして、筐体２の前面開口は、当
該筐体２に回動可能に取り付けられた前扉３で塞がれるようになっている。なお、前扉３
は、閉じられると、自動的に施錠されるようになっている。
【００１４】
前扉３は、その前面をほぼ二分する上部パネル部４及び下部パネル部５を備えたものと
なっている。そして、下部パネル部５の下方には、入賞時に払い出されるメダルを貯留す
る受皿部6Aが一体成形された受皿ユニット６が設けられている。また、上部パネル部４と
下部パネル部５との間には、遊技に係る操作を行うための操作卓７が遊技者側に突出する
ように形成されている。ここで、上部パネル部４及び下部パネル部５は、意匠的に優れた
外観を確保するために、合成樹脂製の化粧板が表面に張り付けられたものとなっている。
【００１５】
（上部パネル部４）
上部パネル部４には、図１中、操作卓７の上方且つ幅方向の中央部分において長方形状
に形成された表示窓4Aが設けられている。ここで、筐体２内部に設けられた三個の回転リ
ール11の各々は、その外周面に複数種類の図柄に記されている。そして、各回転リール11
の図柄は、筐体２の外部から表示窓4Aを通して目視可能となっている。なお、回転リール
11の内部には、回転リール11を内側から照射する図示しないリール照明部が設けられてい
る。
【００１６】
上部パネル部４の上端縁部分には、正面形状が左右に細長い逆台形状に形成された演出
用照明装置4Bが設けられている。この演出用照明装置4Bは、上部パネル部４の上端縁部分
のほぼ中央に配置され、その両端部は、演出用照明装置4Bの角隅部分まで達することなく
、その手前の位置で途切れたものとなっている。また、上部パネル部４の上側における両
角近傍には、正面形状が湾曲した帯状に形成されるとともに、漢数字の「八」を描く一対
の演出用照明装置4Cが設けられている。これらの演出用照明装置4Cの各々は、その上端部
が演出用照明装置4Bの端部近傍に配置されるとともに、その下端側の部分が上部パネル部
４の側縁へ向かって斜め下方に延びたものとなっている。さらに、上部パネル部４の両方
の側縁には、その間に表示窓4Aを挟むようにして配置された一対の演出用照明装置4Dが設
けられている。これらの演出用照明装置4B〜4Dの各々は、無色透明なレンズの内部に配置
された高輝度フルカラー発光ダイオード等の光源を備え、遊技の進行に応じて、その光源
の点灯又は点滅若しくは発光色の変更により、遊技における視覚的な演出効果を高めるも
のである。
【００１７】
表示窓4A及び演出用照明装置4Bの間には、遊技の演出用画像を表示する液晶表示装置4E
が設けられている。この液晶表示装置4Eは、動画を含む様々な画像を、遊技の進行に応じ
て表示するものである。液晶表示装置4Eの下側における両角近傍には、遊技に係る効果音
を発生するスピーカを備えた音声出力部4Fがそれぞれ設けられている。
【００１８】
（操作卓７）
操作卓７は、遊技における操作に必要な各種のスイッチ類が配置されたものである。す
なわち、操作卓７における図１中右端の部分には、前扉３の施錠を解除するための鍵が挿
入される鍵穴7Aが設けられている。この鍵穴7Aの左斜め上方には、メダルを投入するため
のメダル投入口7Bが開口されたメダル投入部7Cが設けられている。メダル投入口7Bの左斜
め下方には、三個の回転リール11のそれぞれを停止させる際に操作される三個のストップ
スイッチ7Dが設けられている。これら三個のストップスイッチ7Dのうち、左端に配置され
ているストップスイッチ7Dの左斜め上方には、後述するマックスベットスイッチ7Eが設け
られている。また、左端のストップスイッチ7Dの左方であって、マックスベットスイッチ
7Eの左斜め下方の位置には、三個の回転リール11を一斉に回転させる際に操作されるスタ
ートスイッチ7Fが設けられている。
【００１９】
ここで、マックスベットスイッチ7Eの図１中左側の近傍には、１枚ベットスイッチ7G及
び精算スイッチ7Hが設けられている。マックスベットスイッチ7Eは、遊技者等が１回の押
圧操作を行うと、一般的には、３枚のメダルをベットすることを命令する投入指令信号で
あるマックスベット信号を送出するものである。換言すると、マックスベットスイッチ7E
は、１回の押圧操作でベット可能な最大枚数（一般的には３枚）のメダルをベットするた
めの投入スイッチである。
【００２０】
また、１枚ベットスイッチ7Gは、遊技者等が１回の押圧操作を行うと、１枚のメダルを
ベットすることを命令する投入指令信号である１枚ベット信号を送出するものである。換
言すると、１枚ベットスイッチ7Gは、１回の押圧操作で１枚のメダルをベットするための
投入スイッチである。残りの精算スイッチ7Hは、遊技者等が押圧操作を行うと、貯留メダ
ルの精算動作を実行すること、あるいは、ベットされたメダルを元に戻すことを命令する
精算指令信号を送出するものである。
【００２１】
（下部パネル部５及び受皿ユニット６）
下部パネル部５には、スロットマシン１のモデルタイプを表す象徴するキャラクター等
が描かれたパネル5Aが設けられている。受皿ユニット６には、メダルを貯留する前述の受
皿部6Aに加えて、入賞時に受皿部6Aへ向かって払い出されるメダルを排出させるメダル払
出口6Bと、遊技に係る効果音を発生するスピーカを備えた音声出力部6Cとが設けられてい
る。
【００２２】
（筐体２内蔵の遊技用装置）
次いで、筐体２内に設けられている遊技用装置等の装置について簡単に説明する。
筐体２の内部には、図２に示すように、三個の回転リール11が回転自在に支持するとと
もに、これらの回転リール11のそれぞれを駆動する図示しないステッピングモータを備え
たリールユニット10、内部に多数のメダルを貯留させる容器部21を備えるとともに受皿部
6Aに向かってメダルを排出するホッパユニット20、遊技用装置であるリールユニット10や
ホッパユニット20の動作を制御するマイクロコンピュータからなるＣＰＵを備えた主制御
基板2A、この主制御基板2Aを内部に収納している主基板ケース2B、及び、これらの装置に
電力を供給する電源装置９等が設けられている。主制御基板2Aは、遊技の進行に係る装置
の動作を主に制御するものとなっている。すなわち、主制御基板2Aは、マックスベットス
イッチ7Eからの投入指令信号、１枚ベットスイッチ7Gからの投入指令信号、及び、精算ス
イッチ7Hからの精算指令信号を受信すると、それぞれの信号に応じて、リールユニット10
やホッパユニット20等、遊技の進行に係る装置に対して、所定の制御動作を行う制御装置
である。
【００２３】
また、前扉３の裏側には、図２の如く、表側の液晶表示装置4Eの対応した位置に配置さ
れている、換言すると、前扉３の上端縁近傍中央に配置されているとともに、液晶表示装
置4E等の演出用装置の制御を行う副制御基板2D、この副制御基板2Dを内部に収納している
副基板ケース2E、及び、図２中、表示窓4Aの左側の端縁下方に配置されるとともに、メダ
ル投入口7Bに投入されたメダルを選別するメダルセレクタ８等が設けられている。副制御
基板2Dは、遊技の進行に直接関与しない装置、例えば、演出用照明装置4B〜4D及び液晶表
示装置4E等の動作を主に制御するものとなっている。
【００２４】
（通信装置）
以上において、スロットマシン１には、伝送媒体に光ファイバーを利用した有線通信で
ある光通信で、主制御基板2Aと副制御基板2Dとの間の通信を行う、光通信装置が設けられ
ている。ここで、主制御基板2Aと副制御基板2Dとの間の通信は、主制御基板2Aから副制御
基板2Dへ指令信号を伝送する一方向のデジタル光通信を行うものであり、主制御基板2Aか
ら副制御基板2Dへ一つの伝送路を介して、誤り検出ビット付きの光ビット信号をシリアル
に伝送するものである。
【００２５】
そして、光通信装置は、主制御基板2Aに設けられているとともに、副制御基板2Dへ向け
て光信号を発信する図示しない光信号発信回路と、副制御基板2Dに設けられているととも
に、主制御基板2Aからの光信号を受信する図示しない光信号受信回路と、図２の如く、主
制御基板2A及び副制御基板2Dを相互に接続する光通信ケーブル12とを備え、光通信ケーブ
ル12を介して主制御基板2Aと副制御基板2Dとの間の通信を行うものである。
【００２６】
光通信ケーブル12は、内部に光信号を伝送させる光ファイバーを伝送媒体とするケーブ
ルである。この光通信ケーブル12の両方の端部には、当該光通信ケーブルの各端部と、後
述するコネクタに設けられているプラグとの中心位置を合わせる筒状のフェルール33（図
３参照）がそれぞれ被嵌されている。そして、光通信ケーブル12におけるフェルール33を
被嵌した端部は、それぞれ図示しないコネクタを介して主制御基板2A及び副制御基板2Dに
接続されている。
【００２７】
すなわち、光通信ケーブル12の一端、具体的には、光通信ケーブル12における主制御基
板2A側に位置する端部12A（図２参照）と、主制御基板2Aとの間には、特に図示しないが
、これらを相互に接続するために、互いに嵌合しあうプラグ及びレセプタクルを備えたメ
イン側コネクタが設けられている。メイン側コネクタのプラグは、光通信ケーブル12の端
部12A に被嵌されたフェルール33を内部に嵌合させることで、光通信ケーブル12の端部12
A に取り付けられるものとなっている。メイン側コネクタのレセプタクルは、主制御基板
2Aの表面に取り付けられるものとなっている。
【００２８】
そして、メイン側コネクタのプラグ及びレセプタクルは、プラグをレセプタクルに嵌合
すると、プラグ及びレセプタクルの少なくとも一方を破壊しないと、両者の嵌合が解除で
きないように形成されている。換言すると、メイン側コネクタは、プラグをレセプタクル
に嵌合させた後、プラグをレセプタクルから外そうとすると、プラグあるいはフェルール
33が破壊されるようになっている。この際、レセプタクルは、プラグが破壊されても損傷
することがなく、その後も、そのまま使用できるように形成されている。
【００２９】
例えば、レセプタクルは、前述のプラグを内部に嵌合可能な円筒状に形成された部材で
ある。この円筒状に形成されたレセプタクルの内周面には、プラグを係止するために、楔
状に形成された複数の係止爪部が周方向に離間して突設されている。そして、レセプタク
ルの円筒状の側壁は、嵌合されたプラグを強い力で強制的に引き抜いても損傷することが
ないように、厚さが十分厚い厚肉の部位となっている。また、レセプタクルは、その底部
中央に、光通信用のＬＥＤあるいはレーザーダイオードや発光素子が設置されたものとな
っている。そして、レセプタクルは、半田付け等によって主制御基板2Aに強固に固定され
ている。
【００３０】
プラグは、比較的脆い硬質の合成樹脂を成形したものであり、前述のレセプタクルの内
部に嵌合される円筒状に形成された部材である。この円筒状に形成されたプラグの側壁は
、周方向に沿って複数の部位に分割されたものである。そして、プラグの側壁の分割され
た各部位は、その内面から中心に向かって突出するスポーク部の先端がプラグの中心で結
合されることで一体化されている。また、プラグの外周面には、周方向に延びるとともに
レセプタクルの係止爪部に係止される溝が全周に渡って設けられている。さらに、プラグ
の中心には、フェルール33が内部に固定されるとともに、前述のスポーク部に支持されて
いる筒状のケーブル固定部が設けられている。そして、スポーク部の途中部分には、肉厚
が薄い易裂部が設けられている。このようなプラグは、レセプタクルから強い力で強制的
に引き抜くと、スポーク部が易裂部で断裂して、側壁が複数の部位に分離するとともに、
側壁からケーブル固定部が分離し、バラバラに分離するようになっている。
【００３１】
一方、光通信ケーブル12の他端、具体的には、光通信ケーブル12における副制御基板2D
側の端部12B（図２参照）と、副制御基板2Dとの間には、これらを相互に接続するために
、図３に示すように、互いに嵌合しあうプラグ31及びレセプタクル32を備えたサブ側コネ
クタ30が設けられている。
【００３２】
サブ側コネクタ30のプラグ31は、図４に示すように、光通信ケーブル12の端部12Bに被
嵌されたフェルール33を内部に嵌合させることで、光通信ケーブル12の端部12B に取り付
けられるものとなっている。サブ側コネクタのレセプタクル32は、副制御基板2Dの表面に
取り付けられるものとなっている。そして、サブ側コネクタ30のプラグ31及びレセプタク
ル32は、メイン側コネクタと同様に、プラグ31をレセプタクル32に嵌合すると、プラグ31
及びレセプタクル32の少なくとも一方を破壊しないと、両者の嵌合が解除できないように
形成されている。
【００３３】
以下に、サブ側コネクタ30について詳しく説明する。
すなわち、光通信ケーブル12は、図４の如く、内部に光信号を伝送させる光ファイバー
12Cと、この光ファイバー12Cの外周面を被覆する合成樹脂製の被覆材12Dとを備えたケー
ブルである。そして、光通信ケーブル12は、先端部分の被覆材12Dが剥ぎ取られ、光ファ
イバー12Cの外周面が露出した状態で、端部12Bにフェルール33が被嵌されるようになって
いる。
【００３４】
フェルール33は、プラグ31の内部に嵌合される円筒状の部材である。フェルール33の内
周面は、図４の如く、図４中下方へ行くに従って、内径が三段階に小さくなるように形成
されている。具体的に説明すると、フェルール33の内部におけるプラグ31側の先端となる
前段部33Aは、光ファイバー12Cの外周面が露出した光通信ケーブル12の先端部分のみを収
納する部位となっている。フェルール33の内部における前段部33Aとは反対側の端部とな
る後段部33Eは、光通信ケーブル12の挿入が容易に行えるように、光通信ケーブル12の外
径よりも一回り大きな内径を有し、光通信ケーブル12の先端を案内する部位となっている
。フェルール33の内部における前段部33A及び後段部33Eの間の中段部33Cは、光通信ケー
ブル12における光ファイバー12Cが被覆材12Dに被覆された部分を収納する部位となってい
る。
【００３５】
また、フェルール33は、図５にも示すように、外側も、図４中下方へ行くに従って、三
段階に小さくなるように形成されている。具体的に説明すると、フェルール33のプラグ31
側の端部である先端部33Dは、外径が最も小さい部位であり、図４中、プラグ31の上方の
開口から内部に挿通されると、下方の開口から、その先端面が露出するようになっている
。フェルール33の先端部33Dとは反対側の端部である後端部33E は、外径が最も大きく、
プラグ31の内部に挿通不可能な部位であり、先端部33Dがプラグ31の内部に挿通されても
、プラグ31の上面から突き出る部位となっている。フェルール33の中間部33Fは、外径が
先端部33D よりも大きく、且つ、後端部33Eよりも若干小さくされた部位である。このよ
うな中間部33Fは、フェルール33の先端部33Dがプラグ31の内部に挿通された状態で、後端
部33Eに大きな力が加わった際に、当該力を受け、外径の最も小さい先端部33Dの根本部分
の破損を防止するものとなっている。
【００３６】
フェルール33の先端部33Dの外周面には、図５の如く、根本部分を一周するように形成
された溝33Gが設けられている。この溝33Gは、プラグ31側に設けられた後述する係止突起
片31Aの先端が内部に嵌り込むようになっている。溝33Gの内部に係止突起片31Aが嵌り込
むことで、フェルール33がプラグ31から不意に外れないようになっている。
【００３７】
プラグ31は、図４及び図５に示すように、内部にフェルール33の先端部33Dが挿通され
るとともに、フェルール33の挿通方向に沿って当該プラグ31を貫通するフェルール挿通孔
31Bを備えたものである。フェルール挿通孔31Bにおけるフェルール33側の開口部分は、フ
ェルール33の中間部33Fに応じた内径に拡張されている。このようなフェルール挿通孔31B
の当該開口部分は、フェルール33の中間部33Fを収納するための拡径部31Cとなっている。
【００３８】
フェルール挿通孔31Bにおける拡径部31Cの奥には、前述した係止突起片31Aを収納する
溝部31Dが形成されている。この溝部31Dは、係止突起片31Aの先端部を、フェルール挿通
孔31Bの内周面から中心に向かって突出させた状態で、係止突起片31Aの先端部以外の残り
の部分を内部に収納するものとなっている。
【００３９】
フェルール挿通孔31Bの途中位置、更に具体的に言うと、フェルール挿通孔31Bにおける
フェルール33とは反対側の開口と、溝部31Dとの間には、フェルール挿通孔31Bを閉鎖する
ためのシャッタ31Eが回転可能に設けられている。すなわち、シャッタ31Eは、円柱形の部
材であり、円柱形の両方の端面の中心に突設された回転軸31Fを備えたものである。一方
、プラグ31には、フェルール33とは反対側の開口と、溝部31Dとの間に形成されていると
ともに、シャッタ31Eに応じた形状の中空部31Gが設けられている。この中空部31Gには、
シャッタ31Eが、回転軸31Fを中心に回転可能に収納されている。
【００４０】
この際、シャッタ31Eには、図４に示すように、その回転軸31Fと交差する方向にシャッ
タ31Eを貫通するシャッタ開放孔31Hが設けられている。そして、シャッタ31Eは、シャッ
タ開放孔31Hの延出方向が図４中上下方向となる開放位置、及び、シャッタ開放孔31Hの延
出方向が図４中前後方向となる閉鎖位置の二位置を回動可能に形成されている。
【００４１】
ここで、シャッタ31Eが開放位置に配置されている状態では、図４中上方からフェルー
ル挿通孔31Bの内部に挿入されたフェルール33は、その先端部33Dが、シャッタ開放孔31H
を通って、フェルール挿通孔31Bにおける図４中下方の開口に達して、当該下方の開口か
ら、その先端面が突出するようになっている。一方、シャッタ31Eが閉鎖位置に配置され
ている状態では、図４中上方からフェルール挿通孔31Bの内部に挿入されたフェルール33
は、フェルール挿通孔31Bの途中部分がシャッタ31Eに塞がれているため、その先端部33D
が、フェルール挿通孔31Bにおける図４中下方の開口に到達不可能となっている。
【００４２】
ここにおいて、シャッタ31Eは、フェルール挿通孔31Bを開放する開放位置と、フェルー
ル挿通孔31Bを閉鎖する閉鎖位置との二位置間を移動可能となっている。また、シャッタ3
1Eにおける図５中右側の回転軸31Fには、シャッタ31Eを閉鎖位置に向かって付勢する弾性
体である弦巻バネ31Jが巻回されている。フェルール33の先端部33Dがフェルール挿通孔31
B及びシャッタ開放孔31Hの両方に挿通されている状態で、フェルール33の先端部33Dがフ
ェルール挿通孔31B及びシャッタ開放孔31Hから引き抜かれると、弦巻バネ31Jの弾性力に
よって、シャッタ31Eが閉鎖位置へ移動するようになっている。そして、シャッタ31Eが閉
鎖位置へ配置されると、その後、開放位置へ戻ることがなく、これにより、フェルール33
は、その先端部33Dがシャッタ開放孔31Hを通過できないようになっている。
【００４３】
プラグ31の外周面には、図５の如く、軸方向における中間部分を一周するように形成さ
れた被係止溝31Kが設けられている。プラグ31の外周面における図５中下方の端縁部分に
は、レセプタクル32への嵌合が容易となるように、レセプタクル32に向かって先細りとな
ったテーパー部31Lが形成されている。
【００４４】
レセプタクル32は、図５に示すように、プラグ31を内部に収納可能な筒状に形成された
部材である。このレセプタクル32は、図５中上方の端面が開口されているとともに、図５
中下方の端面が略平板状の底部32Aによって塞がれている。底部32Aの中心には、光通信ケ
ーブル12の光ファイバー12Cの内部を通ってきた光信号を通すための受光孔32Bが設けられ
ている。底部32Aの図５中下方には、この受光孔32Bの平面位置に対応して、光通信ケーブ
ル12の光ファイバー12Cの内部を通ってきた光信号を受信するために、フォトトランジス
タ等の受光素子32Cが設けられている。
【００４５】
また、レセプタクル32は、底部32Aの周縁部分から図５中上方へ立ち上がった側壁部32D
を備えている。この側壁部32Dの内周面には、プラグ31側の外周面に形成された被係止溝3
1Kと係合する楔状突起部32Eが突設されている。このようなレセプタクル32の内部にプラ
グ31を嵌合すると、図３の如く、プラグ31の被係止溝31Kに、レセプタクル32の楔状突起
部32Eが係止され、プラグ31及びレセプタクル32の少なくとも一方を破壊して、レセプタ
クル32の楔状突起部32Eによるプラグ31の被係止溝31Kの係止を解除しないと、レセプタク
ル32及びプラグ31の嵌合が解除できず、レセプタクル32からプラグ31を取り外すことがで
きないように形成されている。
【００４６】
続いて、プラグ31に設けられたシャッタ31Eの動作について説明する。
プラグ31にフェルール33を挿通するにあたり、図６（Ａ）に示すように、シャッタ31E
を開放位置に固定しておくための挿入治具31Mが、予め、プラグ31のフェルール挿通孔31B
及びシャッタ開放孔31Hの両方に挿通されている。この状態で、フェルール33をフェルー
ル挿通孔31Bの内部に挿入すると、図６（Ｂ）に示すように、プラグ31が挿入治具31Mを押
し、これにより、挿入治具31Mは、シャッタ開放孔31Hの外部へ向かって押し出される。
【００４７】
フェルール33をフェルール挿通孔31Bの奥に向かってさらに挿入し、挿入治具31Mをシャ
ッタ開放孔31Hの外部へ完全に押し出すと、フェルール33の先端部33Dは、シャッタ開放孔
31Hを通って、図６（Ｃ）に示すように、フェルール挿通孔31Bにおける下方の開口に達し
て、当該下方の開口から、その先端面が突出させる。すると、プラグ31側のフェルール挿
通孔31Bの内周面から突出する係止突起片31Aの先端がフェルール33の溝33Gに嵌り込む。
これにより、フェルール33は、プラグ31から不意に外れることがないプラグ31の設置位置
に配置されることとなる。このようにして、光通信ケーブル12の端部に固定されたフェル
ール33をプラグ31に取り付けた後、プラグ31をレセプタクル32に嵌合させる。
【００４８】
ところで、フェルール33をプラグ31から引き抜く方向へ移動させ、フェルール33の先端
部33Dをシャッタ開放孔31Hから完全に逸脱させると、弦巻バネ31Jの弾性力により、図６
（Ｄ）に示すように、シャッタ31Eが回動して閉鎖位置へ移動し、フェルール挿通孔31Bを
閉鎖する。シャッタ31Eが閉鎖位置へ移動した後、フェルール33をプラグ31のフェルール
挿通孔31Bに挿通しても、図６（Ｅ）に示すように、フェルール挿通孔31Bの途中部分がシ
ャッタ31Eで閉鎖され、途中部分よりも先に、フェルール33の先端部33Dが到達できないよ
うになっている。換言すると、プラグ31の設置位置に配置されたフェルール33をプラグ31
から引き抜くと、シャッタ31Eが閉鎖位置に移動し、その後、フェルール33をプラグ31の
設置位置に配置することができないようになっている。
【００４９】
以上において、プラグ31は、内部にシャッタ31Eが回動可能に設けられたシャッタ付プ
ラグとなっている。また、プラグ31は、図３の如く、レセプタクル32の内部に嵌合させる
と、その全体がレセプタクル32の内部に完全に埋没するようになっている。従って、レセ
プタクル32からプラグ31を取り外そうとする際に、光通信ケーブル12あるいはフェルール
33の後端部33Eが引っ張られるようになっている。そして、プラグ31は、光通信ケーブル1
2あるいはフェルール33の後端部33Eが引っ張られることにより、フェルール33がプラグ31
から抜け、その再使用が不可能となるように形成されている。
【００５０】
前述のような本実施形態によれば、次のような効果が得られる。
すなわち、光通信ケーブル12の端部12Aと主制御基板2Aとを相互に接続するコネクタと
して、互いに嵌合しあうプラグ及びレセプタクルを備え、プラグを破壊しないと、嵌合が
解除できないメイン側コネクタを採用したので、主制御基板2Aから光通信ケーブル12を外
すには、プラグを破壊する必要がある。ここで、光通信ケーブル12の端部12Aに設けられ
たプラグを破壊することで、主制御基板2Aから光通信ケーブル12を外し、その代わりに、
途中部分に不正な信号を発する装置が接続された不正な光通信ケーブルを主制御基板2Aに
接続しようとしても、プラグが破壊されているので、不正な光通信ケーブルを主制御基板
2Aに接続することはできず、これにより、いわゆるハーネスゴトと呼ばれる不正行為を防
止することができる。
【００５１】
また、光通信ケーブル12の端部12Bと副制御基板2Dとを相互に接続するコネクタとして
、互いに嵌合しあうとともに、その一方を破壊しないと、嵌合が解除できないプラグ31及
びレセプタクル32を備えたサブ側コネクタ30を採用したので、副制御基板2Dから光通信ケ
ーブル12を外すには、プラグ31及びレセプタクル32の一方を破壊する必要がある。ここで
、例えば、副制御基板2Dに設けられているレセプタクル32を破壊することで、プラグ31を
無傷で獲得し、さらに、途中部分に不正な信号を発する装置が接続された不正な光通信ケ
ーブルの端部に、無傷で獲得したプラグ31を接続しても、副制御基板2D側のレセプタクル
32が破壊されているので、不正な光通信ケーブルを副制御基板2Dに接続することはできず
、これにより、いわゆるハーネスゴトと呼ばれる不正行為を防止することができる。
【００５２】
さらに、サブ側コネクタ30のプラグ31は、光通信ケーブル12の端部に設けられたフェル
ール33が抜けると、シャッタ31Eがフェルール挿通孔31Bを閉じてしまうように形成したの
で、フェルール33をプラグ31から抜いてしまうと、シャッタ31Eがフェルール挿通孔33Bを
塞ぎ、この後、フェルール33をプラグ31のフェルール挿通孔31Bにセットしようとしても
、フェルール33をフェルール挿通孔31B にセットすることが不可能となるうえ、光信号等
の光さえもフェルール挿通孔31Bを通ることもできなくなり、この結果、プラグ31の再使
用が不可能となる。
ここで、プラグ31をレセプタクル32に嵌合すると、プラグ31全体がレセプタクル32の内
部に完全に埋没するようにしたので、レセプタクル32に嵌合したプラグ31をレセプタクル
32から取り外す際に、プラグ31を取り外そうとする者が、光通信ケーブル12あるいはフェ
ルール33の後端部33Eを引っ張るようになり、これにより、フェルール33がプラグ31から
抜け、プラグ31の再使用が不可能となる。従って、不正行為者が、一のスロットマシン１
の光通信ケーブル12に設けられたプラグ31を破壊して、その副制御基板2D及び当該副制御
基板2Dに設けられたレセプタクル32を無傷で獲得し、他のスロットマシン１の副制御基板
2Dに設けられたレセプタクル32を破壊して、当該他のスロットマシン１の光通信ケーブル
12に設けられたプラグ31を無傷で獲得しようとしても、レセプタクル32からプラグ31を外
す際に、光通信ケーブル12あるいはフェルール33の後端部33Eを引っ張り、これにより、
フェルール33がプラグ31から抜け、プラグ31の再使用が不可能となるので、いわゆる、二
個一とよばれる不正行為も防止することができる。
【００５３】
ところで、副制御基板により制御されている液晶表示装置等の演出用装置による演出表
示に異常が発生した場合に、主制御基板、副制御基板およびケーブル（コネクタ）のいず
れに異常発生の原因があるのかを検査することが必要となる。
【００５４】
そこで、本実施形態に係る光通信装置は、図８に示すように、主制御基板2Aに設けられ
、検査用光信号（検査コマンド）を発信させる検査信号発信回路51と、副制御基板2Dに設
けられ、検査信号発信回路51からの検査用光信号を受信する検査信号受信回路52とを備え
ている。なお、検査用信号発信回路51は、主制御基板2Aに設けられた副制御基板2Dへ演出
制御信号（光信号）を発信させる上記の光信号発信回路とは別に設けられてもよく、また
はこの光信号発信回路内に組み込まれて設けられてもよい。また、検査信号受信回路52は
、副制御基板2Dに設けられた主制御基板2Aからの演出制御信号を受信する上記の光信号受
信回路とは別に設けられてもよく、またはこの光信号発信回路に組み込まれて設けられて
もよい。
【００５５】
検査信号発信回路51は、主制御基板2Aに設けられた検査信号発信ボタン53が押された（
押圧操作された）ときに、主制御基板2Aに取り付けられたメイン側コネクタのレセプタク
ルに設けられた光通信用発光素子に検査指令信号を送信し、光通信用発光素子から検査用
光信号（以下、単に「検査信号」と称する）を発信させるように構成されている。光通信
用発光素子から発信された検査信号は、光通信ケーブル12の光ファイバー12Cの内部を通
って、副制御基板2Dに取り付けられたサブ側コネクタ30のレセプタクル32に設けられた受
光素子32Cに受信される。また、検査信号発信回路51は、光通信用発光素子に検査指令信
号を送信したときに、主制御基板2Aに設けられた検査確認用の第１発光素子54に発光指令
信号を送信し、第１発光素子54を発光させるように構成されている。第１発光素子54は、
例えばＬＥＤ（発光ダイオード）等により構成される。
【００５６】
検査信号受信回路52は、受光素子32Cが検査信号を受信すると、副制御基板2Dに設けら
れた検査確認用の第２発光素子55に発光指令信号を送信し、第２発光素子55を発光させる
ように構成されている。第２発光素子55は、第１発光素子54と同様に例えばＬＥＤ等によ
り構成される。なお、検査信号受信回路52は、上記のように第２発光素子55を発光させる
構成ではなく、受光素子32Cが検査信号を受信すると、液晶表示装置4Eに表示指令信号を
送信し、液晶表示装置4Eにおいて検査信号を受信した旨の表示（検査用表示）をさせるよ
うに構成してもよい。また、検査信号受信回路52は、受光素子32Cが検査信号を受信する
と、演出用照明装置4B〜4Dに発光指令信号を送信し、演出用照明装置4B〜4Dにおいて通常
遊技時とは異なる発光（検査信号を受信したことが分かる発光（検査用発光））をさせる
ように構成してもよい。さらに、第２発光素子55の発光、液晶表示装置4Eの表示および演
出用照明装置4B〜4Dの発光のうち少なくとも２つを組み合わせて行う構成としてもよい。
【００５７】
このような構成の光通信装置によれば、液晶表示装置4Eや演出用照明装置4B〜4D等の演
出用装置による演出表示に異常が発生した場合に、検査信号発信ボタン53を押すことで異
常発生の原因箇所の検査を行うことができる。例えば、検査信号発信ボタン53を押したと
きに第１発光素子54が発光しない場合は、検査信号発信回路51から光通信用発光素子に検
査指令信号が送信されていないことを示しており、少なくとも主制御基板2Aに演出表示異
常の原因があるのではないかと推測することができる。
【００５８】
一方、検査信号発信ボタン53を押したときに、第１発光素子54は発光したが、第２発光
素子55が発光しない（液晶表示装置4Eにおいて検査用表示がされない、演出用照明装置4B
〜4Dにおいて検査用発光がされない）場合は、検査信号発信回路51から光通信用発光素子
には正常に検査指令信号が送信されていることを示しており、光通信用発光素子、メイン
側コネクタ、光通信ケーブル12、サブ側コネクタ30、受光素子32Cおよび副制御基板2Dの
いずれかに演出表示異常の原因があるのではないかと推測することができる。
【００５９】
また、検査信号発信ボタン53を押したときに、第１および第２発光素子54，55が発光し
た場合は、光通信用発光素子、メイン側コネクタ、光通信ケーブル12、サブ側コネクタ30
および受光素子32Cには少なくとも演出表示の異常の原因はない、換言すると、主制御基
板2Aの遊技制御部、副制御基板2Dの演出制御部、液晶表示装置4Eおよび演出用照明装置4B
〜4Dのいずれかに演出表示異常の原因があるのではないかと推測することができる。
【００６０】
このように、光通信装置では、演出用装置による演出表示に異常が発生した場合に、検
査信号発信ボタン53を押すことで異常発生の原因箇所の検査を行うことができる。特に、
主制御基板2Aと副制御基板2Dとが、互いに嵌合しあうプラグおよびレセプタクルの少なく
とも一方を破壊しないと嵌合を解除できないコネクタを用いて接続されており、光通信ケ
ーブル12を各基板から取り外す（主制御基板2Aと副制御基板2Dの接続を解除する）ことが
できない場合であっても、原因箇所の検査を行うことができる。
【００６１】
なお、スロットマシン１では、前扉３の裏側に、主制御基板2Aにおいて役抽選処理を行
うときに用いる抽選テーブルを設定するための設定スイッチ56が設けられている。設定ス
イッチ56は、スロットマシン１の他のスイッチを操作することによって設定される設定変
更モード時において、抽選テーブルを設定するための設定値を設定したり変更したりする
ことができるようになっている。ここで、上述の光通信装置において、検査信号発信ボタ
ン53を設ける代わりに、設定変更モード時に設定スイッチ56を操作したときに検査信号発
信回路51から光通信用発光素子に検査信号を送信し、光通信用発光素子から検査信号を発
信させるように構成してもよい。このように構成すれば、検査信号発信ボタン53を新たに
設ける必要がないため、光通信装置を簡単な装置構成とすることができる。また、設定変
更モード時にのみ検査信号を発信させる構成となるため、通常時における遊技進行に異常
をきたすことや、この検査機能を悪用した不正を未然に防ぐことができる。
【００６２】
また、上述の光通信装置おいて、図１０および図１１に示すように、筐体２の内部に設
けられた主制御基板2Aと前扉３の裏側に設けられた副制御基板2Dとを接続する光通信ケー
ブル12を内部に収容する筒状のケーブル保護部材15を備える構成としてもよい。ケーブル
保護部材15は、例えばプラスチックやビニール等の材料を用いて筒状に形成されるととも
に、前扉３の開閉に応じて撓むように少なくとも一部が蛇腹状に形成され、固定具16，16
により筐体２の内部に固定されることで光通信ケーブル12が一定の曲げ半径より小さい曲
げ半径に変形することを困難にさせるように構成されている。このようなケーブル保護部
材15を備えることにより、例えば、筐体２と前扉３の隙間から工具等を差し込み、この工
具等により光通信ケーブル12を所定の許容範囲以上折り曲げることにより光通信を行えな
いようにするといった不正行為を防止することができる。なお、ケーブル保護部材15は、
一端が副制御基板2Dを収納する副基板ケース2Eの近傍まで延びているものの、他端は主制
御基板2Aを収納する主基板ケース2Bの近傍までは延びておらず、この他端と主基板ケース
2Bの間において光通信ケーブル12を弛ませてある。この光通信ケーブル12の弛みにより前
扉３の開閉に応じて光通信ケーブル12が筒状部材15内を移動して前扉３の開閉に対応する
ことができるようになっている。また、この弛み部分を筐体２の奥側（主制御基板2A側）
に設けることで遊技機の隙間から異物を挿入し弛み部分に対する折り曲げ等の不正行為を
行い難くしている。また、図示はしないがこの弛み部分を覆うカバーを設けると更に良い
。
【００６３】
次に、上述のサブ側コネクタ30の変形例であるサブ側コネクタ130について説明する。
サブ側コネクタ130は、上述のサブ側コネクタ30と基本的に同様の構成であり、プラグ131
に関する構成のみが異なっている（レセプタクル32は同一構成である）。従って、サブ側
コネクタ30と同一の構成部品については同一の符号を付してその説明を省略し、サブ側コ
ネクタ130において特徴的な部分について説明する。
【００６４】
サブ側コネクタ130は、互いに嵌合しあうプラグ131及びレセプタクル32を備えて構成さ
れる。プラグ131は、図９に示すように、略直方体形状の把持部131Aと、この把持部131A
の下端部に繋がる略円筒形状の嵌合部131Bとを有して構成されている。プラグ131には、
光通信ケーブル12が挿通されるケーブル挿通孔131Cが把持部131Aおよび嵌合部131Bを図９
に示す上下方向に貫通して形成されている。把持部131Aは、プラグ131をレセプタクル32
に嵌合させるときに把持される部分である。把持部131Aには、ケーブル挿通孔131Cに略直
交するように金具挿入孔131Dが形成されている。金具挿入孔131Dには、ケーブル挿通孔13
1Cに挿通された光通信ケーブル12をプラグ131に固定するためのコ字形状の固定金具（図
示せず）が挿入されるようになっている。
【００６５】
嵌合部131Bの下端部には、中心部にケーブル挿通孔131Cが形成された円錐形状の先端凸
部131Eが設けられている。嵌合部131Bの外周面には、一周するように形成された被係止溝
131Fが設けられている。また、嵌合部131Bの下端縁部には、下方に向かって先細りとなっ
たテーパー部131Gが形成されている。このようなプラグ131において、光通信ケーブル12
は、先端部分の被覆材12Dが剥ぎ取られることなく、またフェルール33が被嵌されること
なく、ケーブル挿通孔131Cに把持部131A側から挿入され、光通信ケーブル12の先端部を先
端凸部131Eから外部に少し突出させた状態において、金具挿入孔131Dに挿入されるコ字形
状の固定金具により圧接されてプラグ131に固定されるようになっている。
【００６６】
このようなプラグ131をレセプタクル32の内部に嵌合させると、プラグ131の被係止溝13
1Fにレセプタクル32の楔状突起部32Eが係止され、プラグ131及びレセプタクル32の少なく
とも一方を破壊して、レセプタクル32の楔状突起部32Eとプラグ131の被係止溝131Fとの係
止状態を解除させないと、プラグ131及びレセプタクル32の嵌合が解除できず、レセプタ
クル32からプラグ131を取り外すことができないようになっている。
【００６７】
なお、サブ側コネクタ130において、プラグ131およびレセプタクル32を透明な樹脂材料
により形成してもよい。このように形成すれば、コネクタ内部が見えるため、サブ側コネ
クタ130に対する不正行為を効果的に抑止することができるとともに、不正行為が行われ
た場合であってもそれを早期発見することができる。また、プラグ131において、被係止
溝131Fの一部に下方に開口する部分を設ける等により、プラグ131及びレセプタクル32の
少なくとも一方を破壊しなくても、レセプタクル32からプラグ131を取り外すことができ
るように構成してもよい。
【００６８】
なお、本発明は、前記実施形態に限定されるものではなく、本発明の目的を達成できる
範囲における変形及び改良などをも含むものである。例えば、前記実施形態では、シャッ
タ31Eが設けられたプラグ31と、このプラグ31を内部に嵌合させるレセプタクル32とを備
えたコネクタ30を、光通信ケーブル12と副制御基板2Dとの接続に利用したが、光通信ケー
ブル12と主制御基板2Aとの接続に利用してもよく、さらに、光通信ケーブル12と副制御基
板2D、及び、光通信ケーブル12と主制御基板2Aの両方の接続に、それぞれ利用してもよい
。また、上述のサブ側コネクタ130においても、光通信ケーブル12と主制御基板2Aとの接
続に利用してもよく、さらに、光通信ケーブル12と副制御基板2D、及び、光通信ケーブル
12と主制御基板2Aの両方の接続に、それぞれ利用してもよい。
【００６９】
また、シャッタとしては、フェルール挿通孔31Bの延出方向と交差するように回転軸31F
が設けられたシャッタ31Eに限らず、例えば、図７に示すように、回転軸31N がフェルー
ル挿通孔31Bの延出方向と平行に設けられたシャッタ31Pでもよく、このようにしても、シ
ャッタ31Pは、フェルール挿通孔31Bを開放する開放位置α、及び、フェルール挿通孔31B
を閉鎖する閉鎖位置の二位置を回動可能に形成することができる。
【００７０】
さらに、遊技機としては、スロットマシンに限らず、遊技場に設置される弾球遊技機や
、ゲームセンター等に設置されるテレビゲーム等でもよく、要するに、本発明は、遊技の
進行に係る装置の動作を主に制御する主制御基板と、遊技の進行に直接関与しない装置の
動作を主に制御する副制御基板と、主制御基板及び副制御基板を相互に接続する光通信ケ
ーブルを介して主制御基板と副制御基板との間の通信を行う通信装置とを備えた遊技機全
般に適用することができる。
【符号の説明】
【００７１】
1     遊技機としてのスロットマシン
2A    主制御基板
2D    副制御基板
12    光通信ケーブル
12A   光通信ケーブルの一端である端部
12B   光通信ケーブルの他端である端部
31    （シャッタ付）プラグ
31B   フェルール挿通孔
31E   シャッタ
31J   弾性体としての弦巻バネ
32    レセプタクル
33    フェルール
【図１】
2013215558.tif 000003
【図２】
2013215558.tif 000004
【図３】
2013215558.tif 000005
【図４】
2013215558.tif 000006
【図５】
2013215558.tif 000007
【図６】
2013215558.tif 000008
【図７】
2013215558.tif 000009
【図８】
2013215558.tif 000010
【図９】
2013215558.tif 000011
【図１０】
2013215558.tif 000012
【図１１】
2013215558.tif 000013